(57)【特許請求の範囲】
【請求項１】
電線の端末に接続された接続端子が収納、配置される箱状のコネクタと、前記コネクタの後端部に着脱可能に装着されて前記電線を覆うと共に、該電線の導出方向を規定する電線カバーとを備えるコネクタ用電線カバー取付構造であって、
前記コネクタおよび前記電線カバーのうちの一方にガイド溝が形成され、且つ他方に該ガイド溝に挿通、案内されるガイド突部が形成され、
前記ガイド溝および前記ガイド突部のうちの一方が他方に対して挿通可能に形成され、
前記ガイド突部および前記ガイド溝のうちの一方に可撓性および反発性を有する係止ランスが形成され、且つ他方に該係止ランスが係合する係合段部が形成され、
前記係止ランスは、前記ガイド突部と前記ガイド溝との挿通に伴って変形し、且つ前記係合段部と合致した状態で変形が緩和されて該係合段部と係合し、
前記係止ランスは、前記ガイド突部および前記ガイド溝のうちの一方に該挿通方向と傾斜角度をなすように前記挿通方向の側方へ突出するように形成され、
前記係合段部は、前記ガイド突部および前記ガイド溝のうちの他方の前記係止ランスに対応する位置に前記係止ランスを受け入れるように凹設され、
前記係合段部が形成された前記コネクタまたは前記電線カバーに該係合段部を露呈させる開口窓が形成されていることを特徴とするコネクタ用電線カバー取付構造。
【請求項２】
請求項１記載のコネクタ用電線カバー取付構造であって、
前記ガイド突部は前記電線カバーに形成され、前記ガイド溝は前記コネクタに形成され、
前記係止ランスは、前記ガイド突部に形成され、前記ガイド溝における前記ガイド突部を挟む両側の側壁のうち前記係止ランスの突出方向に位置する前記側壁に前記係合段部が形成されていることを特徴とするコネクタ用電線カバー取付構造。
【請求項３】
請求項１又は請求項２記載のコネクタ用電線カバー取付構造であって、
前記コネクタまたは前記電線カバーは、挿通終点位置を規定するストッパが設けられていることを特徴とするコネクタ用電線カバー取付構造。
【請求項４】
請求項３記載のコネクタ用電線カバー取付構造であって、
前記ストッパは、前記ガイド突部の一方の終端部に形成されていることを特徴とするコネクタ用電線カバー取付構造。
【請求項５】
請求項４記載のコネクタ用電線カバー取付構造であって、
前記係止ランスは、前記ガイド突部の他方の終端部側から前記一方の終端部側に向けて漸次側方へ突出するように延伸されていることを特徴とするコネクタ用電線カバー取付構造。
【発明の詳細な説明】
【０００１】
【発明の属する技術分野】
本発明はコネクタ用電線カバー取付構造に関し、さらに詳しくは、コネクタ側の電線を覆うと共に、電線のコネクタからの導出方向を規定する電線カバーをコネクタの両側から挿脱でき、且つコネクタと電線カバーとのロック解除も容易に行えるコネクタ用電線カバー取付構造に関する。
【０００２】
【従来の技術】
従来、電線端末が固定された接続端子を収納、配置するコネクタと、そのコネクタに装着される電線カバーとを備えるコネクタ用電線カバー取付構造としては、例えば特開平８−５０９５２号公報に開示されたものがある。図９〜図１１は、この従来の構造の概略を示している。図９に示すように、（電線）カバー１９は略コ字状の断面形状を有し、下面と一側面とが解放されている。図９に示すカバー１９の側壁１９Ａ、１９Ａの下縁内側面には、それぞれ案内溝２１が形成されている。また、一方の側壁１９Ａの下部には、ヒンジ部２２を介して片持ち支持される閉止板２３が回動自在に設けられている。なお、開閉板２３は、図１０に示すように、閉止時において矢印方向に回動させ、ロック板２５を鈎部２４に係合させて固定されるようになっている。一方、コネクタ（図では２つのコネクタを示す）２０には、上記カバー１９の案内溝２１に挿入、案内される案内突部２６が両側面の上部に間欠的に設けられている。また、図示しないが、コネクタ２０、２０の上面からは電線が導出されている。
【０００３】
このようなコネクタ２０、２０にカバー１９を装着するには、図９の状態から図１０に示すように、カバー１９の案内溝２１にコネクタ２０の案内突部２６を挿入してカバー１９内にコネクタ２０、２０を収納する。次に、閉止板２３を回動させてロック板２５を鈎部２４に係合させて、図１１に示すようにコネクタ２０がカバー１９から出ないように閉止する。
【０００４】
【発明が解決しようとする課題】
しかしながら、上記した構造では、図９に示すようにカバー１９にコネクタ２０を収納する前の状態では、閉止板２３が揺動可能な状態で保持されているため、閉止板２３が不安定な状態となっている。このような閉止板２３に何らかのものが引っ掛かるとヒンジ部２２に応力が集中して閉止板２３が破損する恐れがあった。また、閉止板２３のロックは、上記のようにロック板２５を鈎部２４に係合して行われているため、ロック板２５および鈎部２４のいずれかが破損するとロックが簡単に外れ、またはロックが不安定になるという問題点があった。さらに、このようなコネクタ用電線カバーの取付構造では、閉止板２３を閉止および解放する度に、閉止板２３のロック板２５と鈎部２４との両者が摩耗したり変形し易くなる。このため、ロック板２５や鈎部２４の耐久性も低下するという問題点があった。さらに、ロック板２５は、カバー１９側に一体的に形成されるため、その成形時には例えばスライドコアなどを用いた特別な金型が必要となりコスト高となる問題があった。
【０００５】
そこで、本発明の目的は、電線カバーをコネクタから円滑に挿脱でき、電線カバーとコネクタとの係合も簡単な構造の係止ランスにより確実に行え、さらに係止ランスの耐久性を確保すると共に特別な金型を要することのないコネクタ用電線カバー取付構造を提供することにある。
【０００６】
【課題を解決するための手段】
請求項１記載の発明は、電線の端末に接続された接続端子が収納、配置される箱状のコネクタと、コネクタの後端部に着脱可能に装着されて電線を覆うと共に、電線の導出方向を規定する電線カバーとを備えるコネクタ用電線カバー取付構造であって、コネクタおよび電線カバーのうちの一方にガイド溝が形成され、且つ他方にガイド溝に挿通、案内されるガイド突部が形成され、ガイド溝および前記ガイド突部のうちの一方が他方に対して挿通可能に形成され、ガイド突部およびガイド溝のうちの一方に可撓性および反発性を有する係止ランスが形成され、且つ他方に係止ランスを係合する係合段部が形成され、係止ランスは、ガイド突部と前記ガイド溝との挿通に伴って変形し、且つ係合段部と合致した状態で変形が緩和されて該係合段部と係合し、係止ランスは、ガイド突部およびガイド溝のうちの一方に該挿通方向と傾斜角度をなすように挿通方向の側方へ突出するように形成され、係合段部は、ガイド突部およびガイド溝のうちの他方の係止ランスに対応する位置に係止ランスを受け入れるように凹設され、係合段部が形成されたコネクタまたは電線カバーに該係合段部を露呈させる開口窓が形成されていることを特徴としている。
【０００７】
このような構成の請求項１記載の発明では、係止ランスは、ガイド突部およびガイド溝のうちの一方に可撓性および反発性を有するように形成されているため、ガイド突部とガイド溝との挿通に伴い係止ランスが変形する。そして、この係止ランスが係合段部と合致した状態で係止ランスの変形が緩和されて係合段部と係合する。このため、簡単な構造の係止ランスを形成することで、コネクタと電線カバーとの固定を容易に行うことができる。また、ガイド溝およびガイド突部のうちの一方が他方に対して挿通可能に形成されているため、係止ランスが電線カバーに設けられる場合、電線カバーがコネクタに対して両端側のいずれの方向からも挿通可能となる。すなわち、コネクタに対する電線カバーの向きを左右逆にした状態で装着することが可能となる。一方、係止ランスがコネクタに設けられる場合、コネクタが電線カバーに対して一端側から挿通可能となる。このように、係止ランスが電線カバーに設けられる場合、電線の導出方向を電線カバーの向きで左右任意に決定することができる。
【０００９】
また、係止ランスが、ガイド突部およびガイド溝のうちの一方に挿通方向と傾斜角度をなすように挿通方向の側方へ突出するように形成されているため、ガイド突部とガイド溝との挿入に伴い係止ランスが傾斜基部側から摺動することにより変形して摺動に支障を来すことがない。また、係合段部が、ガイド突部およびガイド溝のうちの他方の係止ランスに対応する位置に係止ランスを受け入れるように凹設されているため、上記のように摺動する係止ランスが係合段部に合致すると変形が反発力により戻り、係止ランスが係合段部に係合してコネクタと電線カバーとを固定する。さらに、係合段部が形成されたコネクタまたは電線カバーに係合段部を露呈させる開口窓が形成されているため、この開口窓から治具を挿入して係止ランスを変形させることにより、係止ランスと係合段部との係合状態を解除することができる。この状態で、コネクタと電線カバーとを挿通方向へ動かすことにより、係止ランスが係合段部から外れて変形状態が保たれるため、ガイド溝とガイド突部との摺動を干渉しなくなる。この結果、コネクタと電線カバーとを分離させることが可能となる。
【００１０】
さらに、請求項２記載の発明は、請求項１記載のコネクタ用電線カバー取付構造であって、ガイド突部は電線カバーに形成され、ガイド溝はコネクタに形成され、係止ランスは、ガイド突部に形成され、ガイド溝におけるガイド突部を挟む両側の側壁のうち係止ランスの突出方向に位置する側壁に係合段部が形成されていることを特徴としている。
【００１１】
したがって、請求項２記載の発明では、請求項１に記載された発明の作用に加えて、ガイド突部が電線カバーに形成され、このガイド突部の一部を係止ランスとすることが可能であるため、電線カバーの構造を簡単にすることができる。また、コネクタには、ガイド溝と、このガイド溝の側壁に形成された係合段部とを形成するだけでよいため、コネクタの構造が簡単になる。さらに、ガイド溝におけるガイド突部を挟む両側の側壁のうち係止ランスの突出方向に位置する側壁に係合段部が形成されているため、係止ランスが係合段部に合致したときに、係止ランスの反発力により変形が戻されて係合段部内に入ることにより係合される。この係合状態を解除するために、係止ランスを係合段部内から出るように押し上げた場合、係止ランスはガイド溝におけるガイド突部を挟む側壁のうち係止ランスの突出方向と反対側に位置する側壁に係当するため、係止ランスが過剰に変形されるのを防止する作用がある。このため、係止ランスの係合解除操作を例えば治具などを用いて行った場合、係止ランスの押し上げ力を加減調節する必要がなく、解除操作が簡単になる。
【００１２】
また、請求項３記載の発明は、請求項１又は請求項２記載のコネクタ用電線カバー取付構造であって、コネクタまたは電線カバーは、挿通終点位置を規定するストッパが設けられていることを特徴としている。
【００１３】
したがって、請求項３記載の発明では、請求項１又は請求項２に記載された発明の作用に加えて、コネクタと電線カバーとを互いに挿入して組み付けた場合に、ストッパが挿通終点位置を規定するため、コネクタと電線カバーとの挿通、組み付けに際して、係止ランスと係合段部との係合部分に過剰な外力が加わるのを防止することができる。
【００１４】
さらに、請求項４記載の発明は、請求項３記載のコネクタ用電線カバー取付構造であって、ストッパが、ガイド突部の一方の終端部に形成されていることを特徴としている。
【００１５】
したがって、請求項４記載の発明では、請求項３に記載された発明の作用に加えて、ストッパがガイド突部の一方の終端部に形成されているため、ガイド突部をガイド溝に挿入した場合に、ガイド溝の端部にストッパが当たって、コネクタと電線カバーとの位置決めを行うと作用がある。また、この発明では、ストッパがガイド突部の一方の終端部に形成されるため、例えば、スライドコアなどを用いた特別な金型を用いることなく、簡単に成形することが可能となる。
【００１６】
また、請求項５記載の発明は、請求項４記載のコネクタ用電線カバー取付構造であって、係止ランスが、ガイド突部の他方の終端部側から一方の終端部側に向けて漸次側方へ突出するように延伸されていることを特徴としている。
【００１７】
したがって、請求項５記載の発明では、ガイド突部の一方の終端部にストッパが形成されているため、ガイド突部の他方の終端部をガイド溝のいずれか一方の終端部から挿入すると、係止ランスが基部側（ストッパが形成されていない他方の終端部側）からガイド溝の側壁に摺接して反発力を蓄積させて変形する。ガイド突部がガイド溝に挿入されるに従って係止ランスが係合段部の位置に到達して、変形が緩和されることにより係合段部内に収容されて係合する。このとき、ストッパは、ガイド溝側の部材に係当してガイド突部のそれ以上の挿入を阻止する。なお、係止ランスは、ガイド突部の一方の終端部側から他方の終端部側へ向けて漸次側方へ突出するように形成されているため、仮にガイド突部が上記した挿入方向へさらに挿入された場合は、係合段部を乗り越えて挿入が進む虞があるが、ストッパでガイド突部の挿入が阻止されるため、係止ランスが係合段部を乗り越えて離脱することはない。また、係止ランスがガイド突部の一方の終端部側から他方の終端部側へ向けて漸次側方へ突出するため、ガイド突部が上記した挿入方向と逆方向に応力がかかって（引っ張られて）も係止ランスの先端部が係合段部に係当して逆挿入方向の移動が阻止される。このため、係止ランスが係合段部に係合した状態では、ガイド突部がガイド溝に対して進退動作が阻止されるため、コネクタと電線カバーとを確実に固定することができる。
【００１８】
【発明の実施の形態】
以下、本発明に係るコネクタ用電線カバー取付構造の詳細を図面に示す実施形態に基づいて説明する。
【００１９】
まず、図１を用いてコネクタ用電線カバー取付構造の概略を説明する。なお、図１は本実施形態のコネクタ用電線カバー取付構造を示すコネクタ１と電線カバー２とを組み付ける前の状態を示す分解斜視図である。
【００２０】
このコネクタ用電線カバー取付構造は、コネクタ１と電線カバー２とから大略構成されている。コネクタ１は、略直方体形状であり、相手コネクタとの結合方向に向くような姿勢で複数の接続端子３が収納、固定されている。なお、接続端子３は、コネクタ１の前後方向（図１において符号ａで示す。）に向けて貫通する端子収容室が内部に形成された複数の端子収容筒部１Ａに前端側から挿入されて固定されている。これら接続端子３の後端部には、それぞれ電線４の端末が加締められて接続されている。そして、コネクタ１の後端部より導出される複数の電線４は、図１に示すように、方向付けが予定される方向に向けて曲げられた状態で束ねられている。
【００２１】
また、コネクタ１の後端部には、電線カバー２の装着方向（図１において符号ｂで示す。）に沿って互いに平行をなして対向する一対のガイド壁部５、５が後方へ向けて突設されている。なお、これらガイド壁部５、５は、コネクタ１の幅方向の両側壁１Ｂ、１Ｂを後方へ向けて延伸させたように形成されている。さらに、これらガイド壁部５、５の対向内側面には、互いに平行をなし且つコネクタ１の長手方向に沿ってガイド溝６、６が形成されている。
【００２２】
次に、ガイド溝６について図２を用いて説明する。ガイド溝６が形成されるガイド壁部５は、コネクタ１の後部に形成された隔壁１Ｃから後方（図２中上方）へ突出するように形成されている。ガイド溝６は、ガイド壁部５の対向内側面に凹溝状に形成されている。ガイド溝６を構成する隔壁１Ｃの裏面の長手方向中心部には、コネクタ１の前側に凹設された係合段部７が形成されている。この係合段部７およびその後方に位置するガイド溝６は、図２および図３に示すように、ガイド壁部５に形成された開口窓８で外側に露呈するようになっている。
【００２３】
また、ガイド壁部５、５の内側には、隔壁１Ｃの裏面から後方に向けて突出し、且つガイド壁部５と所定間隔を隔てて対向する複数の補助壁部９が間欠的に形成されている。なお、本実施形態では、複数の補助壁部９を間欠的に配置したが、一連の補助壁部を連続的に配置しても勿論よい。
【００２４】
次に、電線カバー２の構造について説明する。電線カバー２は、互いに対向する一対の側板部１０、１０と、これら側板部１０、１０の後縁同士を連結するように形成された後板部１１と、斜め後縁同士を連結し後板部１１に連続する斜板部１２と、斜板部１２に連続して側板部１０、１０の一方の側縁同士を連結する側端板部１３と、後板部１１の端縁から電線カバー２の装着方向へ延伸して形成されたガイド板部１４とを備えてなり、断面略コ字状の形状となっている。側板部１０の前端部の外側面には、前端部の縁部に沿ってガイド突部としてのフランジ部１５が側方へ突設されている。このフランジ部１５は、コネクタ１のガイド溝５内に挿入されるようになっている。また、このフランジ部１５の長手方向の中心部には、係止ランス１６が形成されている。この係止ランス１６は、電線カバー２の装着方向の前側から後側に向けて漸次前方へ（相手コネクタとの嵌合方向へ）突出するように形成されている。この係止ランス１６は、フランジ部１５と同一材料で一体に形成され、可撓性および反発性を有している。さらに、側端板部１３が形成された側のフランジ部１５の端部には、フランジ部１５のガイド溝６への挿入を規制するストッパ部１７が形成されている。
【００２５】
このような構造の電線カバー２は、上記したようにフランジ部１５をコネクタ１のガイド溝６に沿って挿入させることによりコネクタ１に係合、固定されるようになっている。また、電線カバー２は、側板部１０、１０、後板部１１、斜板部１２、側端板部１３などで、コネクタ１の後端部から導出される電線４を覆うようになっている。そして、ガイド板部１４は、束ねられたこれらの電線４を案内、保持する機能を有している。
【００２６】
また、コネクタ１のガイド溝６は、電線カバー２の装着方向に沿って貫通するように形成されているため、電線カバー２を両側から挿入することができる。
【００２７】
次に、電線カバー２のフランジ部１５の中心部に形成された係止ランス１６についてさらに詳しく説明する。この係止ランス１６は、基端部でフランジ部１５の端部に連続し、自由端部に向けて側板１０の前端縁から漸次離れるように片持ち構造で支持されている。特に、本実施形態では、係止ランス１６の基端部がフランジ部１５の挿入方向の前側に位置し、自由端部が挿入方向の後側に位置するように設定している。このため、フランジ部１５をガイド溝６に挿入していくと、係止ランス１６は、基端部からガイド溝６内に入り、フランジ部１５と略同一面上になる位置まで反発力に抗して変形される。したがって、係止ランス１６が変形することにより、フランジ部１５をガイド溝６内に案内可能となる。
【００２８】
次に、図３および図４を用いて、コネクタ１のガイド溝６と電線カバー２のフランジ部１５との関係を説明する。図３は、組み付けていない状態のコネクタ１と電線カバー２とを側方から見た状態を示す側面図であり、図４はコネクタ１と電線カバー２とが互いに組み合った状態を示す部分断面図である。電線カバー２のフランジ部１５がガイド溝６に挿入されると、電線カバー２の側板部１０は、ガイド壁部５と補助壁部９との間に挿入されて摺動する。したがって、図４に示すように、フランジ部１５の高さ寸法ａは、ガイド溝６のフランジ部１５を挟む側壁部同士の間の距離寸法ｂよりもやや短く設定されている。また、フランジ部１５の幅寸法ｃは、ガイド溝６の底部と補助壁部９との間の距離寸法ｄよりやや短く設定されている。
【００２９】
一方、図３に示すように、本実施形態では、係合段部７の長手方向の寸法ｆは、電線カバー２側の係止ランス１６の長さに略一致する寸法に設定されている。また、上述したように、係合段部７は、ガイド溝６の中心部に形成され、ガイド壁部５の端面から係合段部７の左右の端縁までの寸法ｎは等しく、且つ電線カバー２のストッパ部１７から係止ランス１６の自由端までの距離ｍと略同一の寸法に設定されている。
【００３０】
次に、上記の構造のコネクタ１に電線カバー２を装着する動作、作用について説明する。図１に示すように、コネクタ１には、それぞれの接続端子３に接続された電線４が導出されている。次に、束ねられた電線４の向いている方向の後方側に電線カバー２を配置し、図３に示すように、電線カバー２のフランジ部１５をコネクタ１のガイド溝６に対して位置合わせし挿入する。フランジ部１５は、図４に示すように、コネクタ１のガイド溝６内に案内される。このとき、側板部１０は、コネクタ１のガイド壁部５と補助壁部９とに挟まれているため、フランジ部１５がガイド溝６から離脱することが防止されている。そして、図５に示すように、係止ランス１６が係合段部７に至ると、図６に示すように、反発力を蓄積して変形していた係止ランス１６が係合段部７内で変形が緩和されるため係止ランス１６が係合段部７に係合する。ここで、ストッパ部１７は、ガイド溝６の端部側に係当して、電線カバー２がそれ以上装着方向へ移動するのを阻止する。このようにして電線カバー２がコネクタ１に装着されることにより、電線カバー２のガイド板部１４が突出している方向に向けて、コネクタ１の後端部から導出されている電線４の束を方向付けることができる。
【００３１】
次に、ロック解除する場合について説明する。まず、図７および図８に示すように、図６に示した状態にあった係止ランス１６を、開口窓８から細い棒状の治具を挿入して、矢印で示すように、フランジ部１５と同レベルまで押し上げることにより、係止ランス１６と係合段部７との係合状態が解除される。このとき、治具により押し上げられた係止ランス１６の上縁は、ガイド溝６の上側の側壁面に係当するため、それ以上係止ランス１６が変形することはなく、係止ランス１６が変形し過ぎることにより破損することが防止されている。この状態で、電線カバー２をストッパ部１７が形成されている方向へ引くことにより、係止ランス１６がガイド溝６内に収容されて電線カバー２の引き出しが可能となる。
【００３２】
以上、コネクタ１に対して、電線カバー２を一方の方向から装着し、一方の方向へ向けて取り外す場合について説明したが、本実施形態では、コネクタ１の他方側から電線カバー２を装着、離脱されることも可能である。この場合は、電線カバー２のガイド板部１４をコネクタ１に対して逆の方向となり、電線４の導出方向が反対となる。。
【００３３】
以上、実施形態について説明したが、本発明はこれに限定されるものではなく、構成の要旨に付随する各種の設計変更が可能である。例えば、上記した実施形態では、コネクタ１側にガイド溝６を形成し、電線カバー２側にガイド突部としてのフランジ部１５を形成したが、逆に、コネクタ１側にガイド突部を形成し、電線カバー２側にガイド溝を形成する構成としても勿論よい。
【００３４】
また、上記した実施形態では、係止ランス１６がガイド溝６の側壁に形成した係合段部７に係合する構成としたが、ガイド溝６を露呈させるように形成した開口窓８に係止ランス１６を係合させる構成としてもよい。
【００３５】
【発明の効果】
請求項１記載の発明によれば、上述した実施の形態のように係止ランスが電線カバーに設けられる場合、電線の導出方向を電線カバーの向きで左右任意に決定できるという効果がある。また、この発明によれば、簡単な構造の係止ランスを形成することで、コネクタと電線カバーとの固定を容易に行うことができるという効果がある。
【００３６】
また、係合段部が形成されたコネクタまたは電線カバーに係合段部を露呈させる開口窓が形成されているため、この開口窓から治具を挿入して係止ランスを変形させることにより、係止ランスと係合段部との係合状態を容易に解除することができる。
【００３７】
請求項２記載の発明によれば、請求項１に記載された発明の効果に加えて、ガイド突部が電線カバーに形成され、このガイド突部の一部を係止ランスとすることが可能であるため、電線カバーの構造を簡単にできるという効果がある。また、コネクタには、ガイド溝と、このガイド溝の側壁に形成された係合段部とを形成するだけでよいため、コネクタの構造も簡単になるという効果がある。係合状態を解除するために、係止ランスを係合段部内から出るように押し上げた場合、係止ランスはガイド溝におけるガイド突部を挟む側壁のうち係止ランスの突出方向と反対側に位置する側壁に係止ランスが係当するため、係止ランスが過剰に変形されるのを防止する効果がある。このため、係止ランスの係合解除操作を例えば治具などを用いて行った場合、係止ランスの押し上げ力を加減調節する必要がなく、解除操作が簡単になるという効果がある。
【００３８】
請求項３記載の発明によれば、請求項１又は請求項２に記載された発明の効果に加えて、コネクタと電線カバーとを互いに挿入して組み付けた場合に、ストッパが挿通終点位置を規定するため、コネクタと電線カバーとの挿通、組み付けに際して、係止ランスと係合段部との係合部分に過剰な外力が加わるのを防止する効果がある。
【００３９】
請求項４記載の発明によれば、請求項３に記載された発明の効果に加えて、ストッパがガイド突部の一方の終端部に形成されているため、ガイド突部をガイド溝に挿入した場合に、ガイド溝の端部にストッパが当たって、コネクタと電線カバーとの位置決めを行う効果がある。また、この発明によれば、ストッパがガイド突部の一方の終端部に形成されるため、例えば、スライドコアなどを用いた特別な金型を用いることなく、低コストで簡単に成形することができる。
【００４０】
請求項５記載の発明によれば、ストッパがガイド溝側の部材に係当してガイド突部のそれ以上の挿入を阻止して係止ランスの破損を防止する効果がある。また、この発明によれば、係止ランスがガイド突部の一方の終端部側から他方の終端部側へ向けて漸次側方へ突出するため、ガイド突部が上記した挿入方向と逆方向に応力がかかって（引っ張られて）も係止ランスの先端部が係合段部に係当して逆挿入方向の移動が防止できる。このため、係止ランスが係合段部に係合した状態では、ガイド突部がガイド溝に対して進退動作が阻止されるため、コネクタと電線カバーとを確実に固定できるという効果がある。
【図面の簡単な説明】
【図１】本発明に係るコネクタ用電線カバー取付構造の実施形態を示す分解斜視図である。
【図２】実施形態に係るコネクタ用電線カバー取付構造を示す部分破断斜視図である。
【図３】実施形態に係るコネクタ用電線カバー取付構造のコネクタと電線カバーとの離脱状態を示す側面図である。
【図４】実施形態に係るコネクタ用電線カバー取付構造を示す部分断面図である。
【図５】実施形態に係るコネクタ用電線カバー取付構造の要部側面図である。
【図６】実施形態に係るコネクタ用電線カバー取付構造の要部断面図である。
【図７】実施形態に係るコネクタ用電線カバー取付構造の要部断面図である。
【図８】実施形態に係るコネクタ用電線カバー取付構造の要部側面図である。
【図９】従来のコネクタ用電線取付構造を示す斜視図である。
【図１０】従来のコネクタ用電線取付構造を示す断面図である。
【図１１】従来のコネクタ用電線取付構造を示す斜視図である。
【符号の説明】
１  コネクタ
２  電線カバー
３  接続端子
４  電線
６  ガイド溝
７  係合段部
８  開口窓
１５  フランジ部
１６  係止ランス
１７  ストッパ部
【図１】
0003813838.tif 000002
【図２】
0003813838.tif 000003
【図３】
0003813838.tif 000004
【図４】
0003813838.tif 000005
【図５】
0003813838.tif 000006
【図６】
0003813838.tif 000007
【図７】
0003813838.tif 000008
【図８】
0003813838.tif 000009
【図９】
0003813838.tif 000010
【図１０】
0003813838.tif 000011
【図１１】
0003813838.tif 000012